(57)【要約】【課題】グリル扉を手前に引き出した状態で、グリル皿を皿支持枠に装着することが容易なグリルを提供する。【解決手段】皿支持枠４５は、棒材を平面視略方形に折り曲げて形成した枠体４５１と、枠体４５１の前端部に取付けられグリル皿４４の前部フランジ４４１を支持する前支持板４５２と、枠体４５１の後端部に取付けられグリル皿４４の後部フランジ４４２を支持する後支持板４５３とから構成される。前支持板４５２には、グリル皿４４の前部フランジ４４１と係合してグリル皿４５の前後方向の位置決めを行う隆起部４５２ｃと、グリル皿４４の左右の側面とそれぞれ当接してグリル皿４４の左右方向の外側への移動を規制してグリル皿４４の左右方向の位置決めを行う一対の突出片４５２ｄが形成されている。【選択図】図７
2010025509.tif 000002
【特許請求の範囲】
【請求項１】
グリル庫の横方向両外側に配置した前後方向に長手の一対の固定レールに前後方向に移動自在に支持される一対の可動レールと、グリル皿を支持した状態で前記グリル庫に出し入れ自在に収納される皿支持枠とを備え、前記一対の可動レールを連結する前端の前記レール連結板に前記皿支持枠の前端部が固定されると共に、前記レール連結枠に前記グリル庫の前面開口を閉じるグリル扉を着脱自在に連結したグリルにおいて、
前記皿支持枠は、棒材を平面視略方形に折り曲げて形成した枠体と、該枠体の前端部に取付けられ前記グリル皿の前部フランジを支持する前支持板と、前記枠体の後端部に取付けられ前記グリル皿の後部フランジを支持する後支持板とから構成され、
前記前支持板には、前記グリル皿の前部フランジと係合して前記グリル皿の前後方向の位置決めを行う前後位置決め部と、前記グリル皿の左右の側面とそれぞれ当接して前記グリル皿の左右方向の外側への移動を規制して前記グリル皿の左右方向の位置決めを行う一対の左右位置決め部が形成されていることを特徴とするグリル。
【請求項２】
前記後支持板には、前記グリル皿を皿支持枠に装着する際に、前記グリル皿の後部フランジが摺動するガイド部が形成されており、前記ガイド部の上面が前下がりに傾斜していることを特徴とする請求項１に記載のグリル。
【請求項３】
皿支持枠の前端部をレール連結板の後面に取付けるための取付板を有し、前記レール連結板と前記取付板との上端部の高さを合わせ、前記上端部の上方の前記グリル扉の背面には、後方に傾斜した傾斜面が形成されていることを特徴とする請求項１又は２に記載のグリル。
【発明の詳細な説明】
【技術分野】
【０００１】
本発明は、グリル扉に前端部が固定された皿支持枠にグリル皿が支持されるグリルに関する。
【背景技術】
【０００２】
従来、この種のグリルとして、グリル庫の横方向両外側に配置した前後方向に長手の一対の固定レールに前後方向に移動自在に支持される一対の可動レールと、グリル皿を支持した状態でグリル庫に出し入れ自在に収納される皿支持枠とを備え、一対の可動レールを連結する前端のレール連結板に皿支持枠の前端部が固定されると共に、レール連結枠にグリル庫の前面開口を閉じるグリル扉を着脱自在に連結したものが知られている（例えば、特許文献１参照）。そして、皿支持枠は、棒材を平面視略方形に折り曲げて形成した枠体と、枠体の前端部に取付けられグリル皿の前部フランジを支持する前支持板と、枠体の後端部に取付けられグリル皿の後部フランジを支持する後支持板とから構成されている。これによれば、グリル扉を手前に引き出すことにより、グリル皿を皿支持枠に支持させることができる。
【０００３】
従来は、前支持板の中央部に爪を突設し、この爪を使用者がグリル皿の前部フランジに形成したスリットに差し込むことにより、皿支持枠に対するグリル皿の前側の前後左右方向の位置決めを行っていた。しかし、グリル皿が邪魔になって、前支持板の爪にグリル皿のスリットを差し込むことが困難であった。
【０００４】
また、従来は、グリル皿を皿支持枠に装着する際にグリル皿の後部フランジが摺動するガイドが後支持板に形成されており、このガイドの上面は水平になっていた。しかし、グリル皿を皿支持枠に装着する際に、グリル皿の後部フランジがガイドの前端面に当たることがあるため、使用者がグリル皿の後側を所定の装着位置に送り込むことが困難となる場合があった。
【０００５】
また、従来は、皿支持枠の前端部をレール連結板の後面に取付けるための取付板を備えており、グリル扉の背面とレール連結板、及びレール連結板と取付板との間には、それぞれ板厚分の段差が生じていた。しかし、使用者がグリル皿を皿支持枠に装着するためにグリル皿の前側をグリル扉の背面に沿って落とし込む際に、グリル皿の後部フランジが前記各段差に当たり、落とし込みが良好に行われない場合があった。
【特許文献１】特開２００６−３３６８９６号公報
【発明の開示】
【発明が解決しようとする課題】
【０００６】
本発明は、以上の点に鑑み、グリル扉を手前に引き出した状態で、グリル皿を皿支持枠に装着することが容易なグリルを提供することをその課題としている。
【課題を解決するための手段】
【０００７】
上記課題を解決するために、グリル庫の横方向両外側に配置した前後方向に長手の一対の固定レールに前後方向に移動自在に支持される一対の可動レールと、グリル皿を支持した状態で前記グリル庫に出し入れ自在に収納される皿支持枠とを備え、前記一対の可動レールを連結する前端の前記レール連結板に前記皿支持枠の前端部が固定されると共に、前記レール連結枠に前記グリル庫の前面開口を閉じるグリル扉を着脱自在に連結したグリルにおいて、前記皿支持枠は、棒材を平面視略方形に折り曲げて形成した枠体と、該枠体の前端部に取付けられ前記グリル皿の前部フランジを支持する前支持板と、前記枠体の後端部に取付けられ前記グリル皿の後部フランジを支持する後支持板とから構成され、前記前支持板には、前記グリル皿の前部フランジと係合して前記グリル皿の前後方向の位置決めを行う前後位置決め部と、前記グリル皿の左右の側面とそれぞれ当接して前記グリル皿の左右方向の外側への移動を規制して前記グリル皿の左右方向の位置決めを行う一対の左右位置決め部が形成されていることを特徴とする。
【０００８】
本発明によれば、グリル皿の前側の前後方向の位置決めは、皿支持枠の前支持板に形成された前後位置決め部がグリル皿の前部フランジと係合することにより行われる。一方、グリル皿の前側の左右方向の位置決めは、皿支持枠の前支持板に形成された左右位置決め部がグリル皿の左右の側面とそれぞれ当接してグリル皿の左右方向の外側への移動を規制することにより行われる。そのため、上記従来のように前支持板の爪にグリル皿のスリットを差し込む場合に比べて、使用者はグリル皿の前側の前後左右方向の位置決めを容易に行うことができる。
【０００９】
また、本発明において、前記後支持板には、前記グリル皿を皿支持枠に装着する際に、前記グリル皿の後部フランジが摺動するガイド部が形成されており、前記ガイド部の上面が前下がりに傾斜していることが好ましい。
【００１０】
この場合、上記従来のように前記ガイド部の上面が水平な場合に比べて、使用者はグリル皿の後側を所定の装着位置に容易に送り込むことができる。
【００１１】
また、本発明において、皿支持枠の前端部をレール連結板の後面に取付けるための取付板を有し、前記レール連結板と前記取付板との上端部の高さを合わせ、前記上端部の上方の前記グリル扉の背面には、後方に傾斜した傾斜面が形成されていることが好ましい。
【００１２】
この場合、使用者がグリル皿を皿支持枠に装着するためにグリル皿の前側をグリル扉の背面に沿って落とし込む際に、グリル扉の背面に形成された後下がりに傾斜した傾斜面によって、グリル皿の後部フランジがレール連結板及び取付板の高さを合わせた上端部による段差に当たることを防止できる。そのため、上記従来のように前記傾斜面がない場合に比べて、使用者はグリル皿の落とし込みを良好に行うことができる。
【発明を実施するための最良の形態】
【００１３】
本発明の実施形態に係るグリルを具備するコンロについて説明する。
【００１４】
このコンロは、図１に示すように、システムキッチンのカウンタトップ（図示せず）に組み込むビルトイン式コンロである。このコンロは、カウンタトップに開設した開口に落とし込むようにして設置するコンロ本体１と、コンロ本体１の上面を覆うようにしてカウンタトップに載置する天板２とを備えている。コンロ本体１には、前側の左右２個と後側の１個の計３個のコンロバーナ３が配置されると共に、グリル４が内蔵されている。そして、天板２に、これら各コンロバーナ３を臨ませる開口を形成して、各開口を囲うように五徳５を載置している。また、天板２の後部にはグリル４用の排気口が開設され、この排気口を覆う排気カバー２ａが載置されている。尚、各コンロバーナ３には、その内周空間に位置させて、五徳５上の調理容器の底面に当接してその温度を検出する鍋底温度センサ３ａが付設されている。
【００１５】
カウンタトップの下で前方に露出するコンロ本体１の前面部分には、後述するグリル庫４１の前面開口を閉じるグリル扉４２とその左右の前面パネル６とが設けられている。各前面パネル６には、コンロバーナ３用とグリル４用の各操作盤７が前面パネル６の前方に出没自在に組み込まれており、操作盤７の収納状態では、操作盤７の前板７ａが前面パネル６と略面一になる。
【００１６】
グリル４は、図２に示すように、コンロ本体１内に設置されるグリル庫４１を備えている。グリル庫４１の後部には排気ダクト４１１が取付けられている。また、グリル庫４１には、図３に示すように、焼き網４３をその前後に垂設した脚片部４３ａを介して載置するグリル皿４４と、グリル皿４４を支持する皿支持枠４５とが収納されている。皿受け枠４５にはグリル扉４２が連結されている。そして、グリル扉４２をその前面下部の把手４２１に指を掛けて手前に引くことにより、皿受け枠４５がグリル皿４４と共にグリル庫４１の前方に引き出されるようにしている。
【００１７】
グリル扉４２には、図４に示すように、その本体とその背面を構成する背面板４２２との間には透明な耐熱ガラス板４２３が挟持されている。そして、背面板４２２の中央部に形成された開口４２２ａを介して、外部からグリル庫４１内を目視できるようになっている。背面板４２２は、金属薄板を成型加工したものである。
【００１８】
グリル庫４１の天井部には、図３に示すように、上火バーナ４６が装着され、更に、上火バーナ４６の上方を覆うようにして遮熱カバー４６１が設けられている。また、グリル庫４１の横方向両側の側壁部に、焼き網４３とグリル皿４４との間に位置させて、横方向内方に凹入する凹入部４１３を形成し、この凹入部４１３内に、凹入部４１３の横方向内側面に設けた窓部４１３ａに臨ませて下火バーナ４７を配置している。このようにして、焼き網４３上の調理物を上火バーナ４６と下火バーナ４７とで上下から焼成する両面焼きグリルが構成されている。尚、図２、図３で４６ａ，４７ａは上火バーナ４６と下火バーナ４７の混合管である。
【００１９】
凹入部４１３は、下火バーナ４７の上方を覆う上バーナカバー４７１と、下火バーナ４７の下方を覆う下バーナカバー４７２とから構成されており、上バーナカバー４７１及び下バーナカバー４７２は整流板として機能する。左右の上バーナカバー４７１は、それぞれ着脱自在に装着されるカバー板４７３によって、その上面が覆われている。カバー板４７３は、上バーナカバー４７１、及び上バーナカバー４７１より上方のグリル庫４１の側壁４１２の内側面を覆うようにして、グリル庫４１内に装着されている。焼き網４３を載せたグリル皿４４をグリル庫４１内に装着する際に、焼き網４３と干渉しないように、焼き網４３とカバー板４７３との隙間は十分に広くなっている。
【００２０】
グリル庫４１の横方向両側の外側には、前後方向に長手の固定レール４８と、固定レール４８に前後方向に移動自在に支持される可動レール４９とが配置されている。ここで、グリル庫４１の下方には、グリル庫４１の底壁部との間に空隙を存して遮熱板４１５が設置されている。そして、遮熱板４１５の横方向両側部をグリル庫４１の横方向外側で上方に屈曲させて、起立状態の取付板４８１を形成し、この取付板４８１の横方向外方を向く面に固定レール４８を取付けている。
【００２１】
固定レール４８には、中間レール４８２がボールを介して前後方向に移動自在に係合しており、この中間レール４８２にボールを介して可動レール４９が前後方向に移動自在に係合している。従って、可動レール４９は中間レール４８２を介して固定レール４８に前後方向に移動自在に支持される。
【００２２】
グリル庫４１の横方向両外側の一対の可動レール４９，４９は、その前端において略矩形状のレール連結板４９１を介して連結される。レール連結板４９１には、皿支持枠４５の前端部が係止されると共に、グリル扉４２が連結されている。このようにして、グリル扉４２の前面下部の把手４２１に指を掛けて手前に引いたり後方に押すことにより可動レール４９が固定レール４８に案内されて前後動し、これに連動して皿支持枠４５も前後動して、皿支持枠４５に支持されるグリル皿４４がグリル庫４１にスムースに出し入れされる。
【００２３】
グリル皿４４は、図５及び図６に示すように、グリル庫４１内の調理物から垂れ落ちる煮汁や油等の汚れを受けるために設けられており、上端外周縁にフランジ４４１，４４２，４４３を有する浅い平面視略長方形の皿４４４から構成されており、前後左右に対称な形状となっている。前部フランジ４４１及び後部フランジ４４２には、それぞれ焼き網４３の脚片部４３ａの下端に形成された爪が挿通される複数のスリット４４５が穿設されている。左右の側部フランジ４４３には、その両外側端からその全体に渡って上方に向かう垂直片４４６と、垂直片４４６の上側端からその全体に渡って左右方向外方に延びる上部フランジ４４７とが形成されている。
【００２４】
皿支持枠４５は、棒材を平面視略方形に折り曲げて形成した枠体４５１と、枠体４５１の前端部に取付けた前支持板４５２と、枠体４５１の後端部に取付けた後支持板４５３とから構成されている。
【００２５】
枠体４５１は、図５及び図７に示すように、前支持板４５２と後支持板４５３との間に位置し前後に延びる左右の部分が、グリル皿４４を脱着する際に、側部フランジ４４３とは当接してグリル皿４４のスムースな前後方向の移動を図るガイド部と機能する。そのため、グリル皿４４を脱着する際にグリル皿４４の皿４４４との接触が少なくなるように、枠体４５１の左右間隔は皿４４４の幅より若干広くなっている。前支持板４５２は、グリル皿４４の前部フランジ４４１を支持し、後支持板４５３は、グリル皿４４の後部フランジ４４２を支持する。また、皿支持枠４５の動きの円滑性を確保するため、グリル庫４１の底壁部には、枠体４５１の左右各側の側辺部を滑動自在に支持する前後複数の支持部４１６が形成されている。
【００２６】
前支持板４５２は、金属薄板を成型加工したものであり、平面視略方形の本体４５２ａと、本体４５２ａの左右の両外側部から後方にそれぞれ延びる平面視略方形の延長部４５２ｂとを備え、枠体４５１の前部を上から覆っている。本体４５２ａには、その中央部後端から後方に向かって隆起する隆起片４５２ｃが形成されている。隆起片４５２ｃの平坦な上面には、グリル皿４４の前部フランジ４４１の平坦な下面が載置される。更に、隆起片４５２ｃは、その前端部が略垂直となっており、グリル皿４４の前部フランジ４４１の前端部の前下がりの傾斜面に当接してグリル皿４４の後方向の移動を規制している。また、隆起片４５２ｃは、その後端部に略垂直な部分を有しており、グリル皿４４の皿４４４の前側部分に当接してグリル皿４４の前方向の移動を規制している。このように、隆起片４５２ｃは、グリル皿４４の前側の前後方向の位置合わせを行う前後位置決め部として機能する。延長部４５２ｂには、その外側端部からそれぞれ垂直上方に突出する左右一対の突出片４５２ｄが形成されている。突出片４５２ｄは、グリル皿４４の左右の垂直片４４６と当接して、グリル皿４４の左右方向の位置合わせを行う左右位置決め部として機能する。更に、延長部４５２ｂには、その内側端部からそれぞれ内方に斜め下に突出する左右一対の爪４５２ｅが形成されている。爪４５２ｅは、皿支持枠４５をグリル扉４２に連結するためのものである。
【００２７】
このように、グリル皿４４の前側の前後方向の位置決めは、グリル皿４４の前部フランジ４４１を前支持板４５２に形成された隆起片４５２ｃに係合することにより行われる。一方、グリル皿２２の前側の左右方向の位置決めは、前支持板４５２に形成された左右一対の突出片４５２ｄがグリル皿４４の左右の垂直片４４６とそれぞれ当接してグリル皿４４の左右方向の外側への移動を規制することにより行われる。そのため、上記従来のように前支持板の爪にグリル皿のスリットを差し込む場合に比べて、使用者は前後左右方向の位置決めを伴うグリル皿４４の前側の皿支持枠４５への装着をグリル皿４４を落とし込むだけで容易に行うことができる。
【００２８】
一方、後支持板４５３は、金属薄板を成型加工したものであり、平面視略方形の本体４５３ａと、本体４５３ａの左右の両外側部から前方にそれぞれ延びる平面視略方形の延長部４５３ｂとを備え、枠体４５１の後部を上又は下から覆っている。本体４５３ａには、その中央部後端から垂直上方に突出する中央突出部４５３ｃが形成されている。中央突出部４５３ｃは、グリル皿４４の後部フランジ４４２の後端面と当接してグリル皿４４の後方向への移動を規制する。更に、本体４５３ａには、その上面から隆起した左右一対の短い隆起部４５３ｄが形成されている。隆起部４５３ｄは、その上面にグリル皿４４の後部フランジ４４２の下面が当接されると共に、後部フランジ４４２と係合してグリル皿４４の前方向への移動を規制している。中央突出部４５３ｃ及び隆起部４５３ｄは、グリル皿４４の前後方向の位置合わせを行う前後位置決め部として機能する。本体４５３ａと延長部４５３ｂとの左右の外側端部には、その全体に渡って垂直上方に突出する左右一対の外側突出片４５３ｅが形成されている。外側突出片４５３ｅは、グリル皿４４の左右の垂直片４４６と当接して、グリル皿４４の左右方向の位置合わせを行う左右位置決め部として機能する。本体４５３ａと延長部４５３ｂとがなす内側の角部は、それぞれ垂直上方に突出する角部突出片４５３ｆが形成されている。角部突出片４５３ｆは、グリル皿４４を皿支持枠４５に装着する際に、グリル皿４４の後部フランジ４４２が摺動するガイド部として機能しており、その上面は前下がりに傾斜するように形成されている。よって、上記従来のようにガイド部の上面が水平な場合に比べて、使用者はグリル皿４４の後側を所定の装着位置に容易に送り込むことができる。
【００２９】
レール連結板４９１には、図５、図７及び図８に示すように、グリル扉４２の背面板４２２に形成した貫通孔４２２ｂを挿通して、背面板４２２より表側のグリル扉４２の背面部に設けた係合孔（図示せず）に係合する上縁の左右一対の爪４９１ａと、グリル扉４２の背面下部に取付けた板ばね部材４２３（図４参照）を係合させる下縁中央部の凹欠部４９１ｂとが形成されている。そして、グリル扉４２の係合孔に爪４９１ａを係合させた状態で、板ばね部材４２３を凹欠部４９１ｂに係合させることにより、グリル扉４２がレール連結板４９１に着脱自在に連結される。尚、板ばね部材４２３は、グリル扉４２に背面板４２２を連結するビス４２４により締結されており、レール連結板４９１にビス４２４の頭部に対する逃げ孔４９１ｃが形成されている。レール連結板４９１には、更に、皿支持枠４５を取付けるための取付板４９２用に、後方水平に突出する左右一対の係止突起４９１ｄが形成されている。
【００３０】
取付板４９２は、上中央部が頂部となり左右に偏平なホームベース状でレール連結板４９１への取付面となる垂直片４９２ａと、垂直片４９２ａの下端から後方に延びる左右一対の水平片４９２ｂとを備えている。垂直片４９２ａの頂部は、レール連結板４９１の上端部の高さと合うように、即ち、取付板４９２の上端部とレール連結板４９１との左右方向中央部の上端部とは、その高さが略同一であり、重なり合っている。そして、これらの板４９１，４９２の上端部が位置する近傍上方の背面板４２２に、後方に滑らかに傾斜した傾斜面４２２ｃを有する鉤状突起が絞り加工によって形成されている。この鉤状突起の突出高さは、２つ板４９１，４９２の板厚を合わせたものと略等しくなっている。
【００３１】
このように、使用者がグリル皿４４を皿支持枠４５に装着するためにグリル皿４４の前側をグリル扉４２の背面に沿って落とし込む際に、グリル皿４４はグリル扉４２の背面に突設させた後下がりに傾斜した傾斜面４２２ｃに沿って後方に傾斜して落ちていく。そのため、グリル皿４４の後部フランジ４４２がレール連結板４９１及び取付板４９２の上端部による段差に当たることを防止でき、上記従来のように傾斜面がない場合に比べて、使用者はグリル皿４４の落とし込みを良好に行うことができる。
【００３２】
更に、取付板４９２の垂直片４９２ａには、レール連結板４９１の係合突起４９１ｄに挿入係止される左右一対の係止孔４９２ｃが形成されている。左右の水平片４９２ｂには、皿支持枠４５の前支持板４５２に突設された爪片が挿入係止される係止孔４９２ｄがそれぞれ形成されている。尚、垂直片４９２ａには、板ばね部材４２３及びビス４２４の頭部に対する逃げ切欠部４９２ｅが形成されている。
【００３３】
以上、ドロップイン式コンロに組み込むグリルに本発明を適用した実施形態について説明したが、卓上式コンロに組み込むグリル、更にはコンロに組み込まずに独立して設けられるグリルにも同様に本発明を適用できる。
【図面の簡単な説明】
【００３４】
【図１】本発明の実施形態に係るグリルを具備するコンロの斜視図。
【図２】グリルの斜視図。
【図３】グリルの切断正面図。
【図４】グリル皿が皿支持枠に支持された状態を示す斜視図。
【図５】グリル皿が皿支持枠に支持された状態を部分的に示す断面図。
【図６】グリル皿を示す斜視図。
【図７】グリル扉と皿支持枠を示す斜視図。
【図８】グリル扉と皿支持枠を示す分解斜視図。
【符号の説明】
【００３５】
４…グリル、４１…グリル庫、４２…グリル扉、４２２…背面板、４２２ｃ…傾斜面、４４…グリル皿、４４１…前部フランジ、４４２…後部フランジ、４５…皿支持枠、４５１…枠体、４５２…前支持板、４５２ｃ…隆起部（前後位置決め部）、４５２ｄ…突出片（左右位置決め部）、４５３…後支持板、４５３ｆ…角部突出片（ガイド部）、４８…固定レール、４９…可動レール、４９１…レール連結板、４９２…取付板。
【図１】
2010025509.tif 000003
【図２】
2010025509.tif 000004
【図３】
2010025509.tif 000005
【図４】
2010025509.tif 000006
【図５】
2010025509.tif 000007
【図６】
2010025509.tif 000008
【図７】
2010025509.tif 000009
【図８】
2010025509.tif 000010